(57)【要約】      （修正有）【課題】リソグラフィの解像限界を超えた寸法を有するパターンを形成する方法において、パターンの配列ピッチが小さくても、閉ループ形状のパターンの一部を切断することができる半導体装置の製造方法、及び半導体製造装置を提供する。【解決手段】下地層上に、線幅が一定の線状部を有する第１のパターン１４ａと、第１のパターンの線状部に近接した部分と線状部から離れた部分を有し、第１のパターンとは独立して、又は第１のパターンに接続されて閉ループ形状を構成する第２のパターン１４ｂとを形成する。第２のパターンの第１のパターンの線状部から離れた部分１４１ａで閉ループカットを行う。【選択図】図２
2010045302.tif 000002
【特許請求の範囲】
【請求項１】
下地層上に、線幅が一定の線状部を有する第１のパターンと、前記第１のパターンの前記線状部に近接した部分と前記線状部から離れた部分を有し、前記第１のパターンとは独立して、又は前記第１のパターンに接続されて閉ループ形状を構成する第２のパターンとを形成する第１の工程と、
前記第２のパターンの前記第１のパターンの前記線状部から離れた部分で閉ループカットを行う第２の工程とを含む半導体装置の製造方法。
【請求項２】
下地層上に、線幅が一定の線状部を有する第１のパターンと、前記第１のパターンの前記線状部との間に第１の間隔を有する、前記第１のパターンに平行な部分を備え、前記第１のパターンとは独立して、又は前記第１のパターンに接続されて閉ループ形状を構成する第２のパターンとを形成する第１の工程と、
前記第１のパターンの前記線状部との間に前記第１の間隔よりも大きい第２の間隔を有してレジストを前記第２のパターンの一部に形成し、前記レジストが形成された前記第２のパターンの部分で閉ループカットを行う第２の工程とを含む半導体装置の製造方法。
【請求項３】
下地層上に、芯材パターンを形成し、前記芯材パターンの側面に側壁パターンを形成した後、前記芯材パターンを除去することにより、線幅が一定の線状部を有する閉ループ形状の第１のパターンと、前記第１のパターンの前記線状部に近接した部分と前記線状部から離れた部分とを有し、前記第１のパターンとは独立して、又は前記第１のパターンに接続されて閉ループ形状を構成する第２のパターンとを形成する第１の工程と、
前記第２のパターンの前記第１のパターンの前記線状部から離れた部分で閉ループカットを行う第２の工程とを含む半導体装置の製造方法。
【請求項４】
下地層上に、所定の周期で配列された複数の第１のパターンからなる第１のパターン群と、前記所定の周期で配列された複数の第２のパターンからなり、前記複数の第２のパターンのうち、少なくとも前記第１の配線パターン群に最も近接する第２のパターンは、前記第１のパターン群に平行な平行部と、前記第２のパターン群から離れた部分とを有し、前記第１のパターン群とは独立して、又は前記第１のパターン群に接続されて閉ループ形状を構成する第２のパターン群とを形成する第１の工程と、
前記第２のパターンの前記第１のパターン群から離れた部分で閉ループカットを行う第２の工程とを含む半導体装置の製造方法。
【請求項５】
所定の周期で配列された複数の第１の配線パターンからなる第１の配線パターン群と、
前記所定の周期で配列された複数の第２の配線パターンからなる第２の配線パターン群とを備え、
前記複数の第２の配線パターンのうち、少なくとも前記第１の配線パターン群に最も近接する第２の配線パターンは、前記第１の配線パターン群に平行な平行部と、前記平行部に接続して前記第１の配線パターン群から遠ざかるように設けられ、かつ前記第１の配線パターン群に平行でない非平行部とを有する半導体装置。
【発明の詳細な説明】
【技術分野】
【０００１】
本発明は、半導体装置の製造方法、及び半導体装置に関する。
【背景技術】
【０００２】
近年、半導体装置の微細化に伴い、リソグラフィの解像限界を超えた寸法を有するパターンを形成する方法が求められている。
【０００３】
その一つの方法として、芯材の側面に側壁パターンを形成し、芯材を除去した後、側壁パターンをマスクにして下地の被加工膜をエッチングする方法が知られている（例えば、特許文献１参照）。
【０００４】
側壁パターンおよび側壁パターンをマスクにして形成された配線パターンは、閉ループ形状となるため、その一部を切断する閉ループカットの工程が必要となる。閉ループカットを行う箇所の近くに他のパターンが存在する場合は、一般に、リソグラフィの位置合わせのズレ等に対するマージン（裕度）を考慮して他のパターンとの間にスペースを設けている。
【０００５】
【特許文献１】特開平８−５５９０８号公報
【発明の開示】
【発明が解決しようとする課題】
【０００６】
本発明の目的は、パターンの配列ピッチが小さくても、閉ループ形状のパターンの一部を切断することができる半導体装置の製造方法、及び半導体製造装置を提供することにある。
【課題を解決するための手段】
【０００７】
本発明の一態様は、上記目的を達成するため、下地層上に、線幅が一定の線状部を有する第１のパターンと、前記第１のパターンの前記線状部に近接した部分と前記線状部から離れた部分を有し、前記第１のパターンとは独立して、又は前記第１のパターンに接続されて閉ループ形状を構成する第２のパターンとを形成する第１の工程と、前記第２のパターンの前記第１のパターンの前記線状部から離れた部分で閉ループカットを行う第２の工程とを含む半導体装置の製造方法を提供する。
【０００８】
本発明の一態様は、上記目的を達成するため、下地層上に、線幅が一定の線状部を有する第１のパターンと、前記第１のパターンの前記線状部との間に第１の間隔を有する、前記第１のパターンに平行な部分を備え、前記第１のパターンとは独立して、又は前記第１のパターンに接続されて閉ループ形状を構成する第２のパターンとを形成する第１の工程と、前記第１のパターンの前記線状部との間に前記第１の間隔よりも大きい第２の間隔を有してレジストを前記第２のパターンの一部に形成し、前記レジストが形成された前記第２のパターンの部分で閉ループカットを行う第２の工程とを含む半導体装置の製造方法を提供する。
【０００９】
本発明の一態様は、上記目的を達成するため、下地層上に、芯材パターンを形成し、前記芯材パターンの側面に側壁パターンを形成した後、前記芯材パターンを除去することにより、線幅が一定の線状部を有する閉ループ形状の第１のパターンと、前記第１のパターンの前記線状部に近接した部分と前記線状部から離れた部分とを有し、前記第１のパターンとは独立して、又は前記第１のパターンに接続されて閉ループ形状を構成する第２のパターンとを形成する第１の工程と、前記第２のパターンの前記第１のパターンの前記線状部から離れた部分で閉ループカットを行う第２の工程とを含む半導体装置の製造方法を提供する。
【００１０】
本発明の一態様は、上記目的を達成するため、下地層上に、所定の周期で配列された複数の第１のパターンからなる第１のパターン群と、前記所定の周期で配列された複数の第２のパターンからなり、前記複数の第２のパターンのうち、少なくとも前記第１の配線パターン群に最も近接する第２のパターンは、前記第１のパターン群に平行な平行部と、前記第２のパターン群から離れた部分とを有し、前記第１のパターン群とは独立して、又は前記第１のパターン群に接続されて閉ループ形状を構成する第２のパターン群とを形成する第１の工程と、前記第２のパターンの前記第１のパターン群から離れた部分で閉ループカットを行う第２の工程とを含む半導体装置の製造方法を提供する。
【００１１】
本発明の一態様は、上記目的を達成するため、所定の周期で配列された複数の第１の配線パターンからなる第１の配線パターン群と、前記所定の周期で配列された複数の第２の配線パターンからなる第２の配線パターン群とを備え、前記複数の第２の配線パターンのうち、少なくとも前記第１の配線パターン群に最も近接する第２の配線パターンは、前記第１の配線パターン群に平行な平行部と、前記平行部に接続して前記第１の配線パターン群から遠ざかるように設けられ、かつ前記第１の配線パターン群に平行でない非平行部とを有する半導体装置を提供する。
【発明の効果】
【００１２】
本発明によれば、パターンの配列ピッチが小さくても、閉ループ形状のパターンの一部を切断することができる。
【発明を実施するための最良の形態】
【００１３】
本発明の実施の形態に係る半導体装置の製造方法は、下地層上に、線幅が一定の線状部を有する第１のパターンと、前記第１のパターンの前記線状部に近接した部分と前記線状部から離れた部分を有し、前記第１のパターンとは独立して、又は前記第１のパターンに接続されて閉ループ形状を構成する第２のパターンとを形成する第１の工程と、前記第２のパターンの前記第１のパターンの前記線状部から離れた部分で閉ループカットを行う第２の工程とを含む。
【００１４】
下地層は、シリコン基板等の基板でもよく、第１及び第２のパターンをマスクとして用いて加工される被加工膜でもよい。また、下地層と第１及び第２のパターンとの間に被加工膜が形成されていてもよい。
【００１５】
第１及び第２のパターンは、メモリデバイスを構成するビット線及びワード線や、ライン・アンド・スペースによる配線でもよいし、マスクとして用いられるものでもよい。
【００１６】
第１のパターンは、例えば、閉ループ形状を有するものでもよく、ラインパターンでもよい。また、第１のパターンは、線幅が一定の線状部よりも線幅が広い部分を有していてもよい。
【００１７】
第２のパターンの第１のパターンの線状部に近接した部分は、例えば、第１のパターンの線状部に近接し、かつ線状部に平行な平行部である。第２のパターンの平行部は、第１のパターンの線状部と平行であれば、直線状でも曲線状でもよい。
【００１８】
［第１の実施の形態］
図１（ａ）〜（ｈ）は、本発明の第１の実施の形態に係る半導体装置の製造工程を示す断面図、図２（ａ）〜（ｃ）は、図１（ｄ）に示す工程と図１（ｅ）に示す工程との間に行われる閉ループカット工程を示す平面図である。
【００１９】
図１（ａ）に示すように、シリコン基板等の半導体基板上に、下地層１０を介して配線層を形成するための配線材料（被加工膜）１１を形成し、配線材料１１上にマスク材料１２を形成し、レジストを用いたリソグラフィ及びエッチングによりマスク材料１２上に芯材パターン１３ａ，１３ｂを形成する。芯材パターン１３ａ，１３ｂは、例えば、リソグラフィの解像限界Ｗに近い線幅（例えば４０ｎｍ）を有する。
【００２０】
配線材料１１として、例えば、Ｃｕ、Ｗ、Ａｌ等を用いることができる。マスク材料１２として、例えば、酸化シリコン膜等を用いることができる。芯材パターン１３ａ，１３ｂとして、例えば、アモルファスシリコン膜等を用いることができる。
【００２１】
次に、図１（ｂ）に示すように、異方性エッチング等により芯材パターン１３ａ，１３ｂの幅を１／２に細くするスリミング処理を行う。これにより、解像限界Ｗの約１／２の線幅（例えば２０ｎｍ）の芯材パターン１３ａ，１３ｂが得られる。
【００２２】
次に、図１（ｃ）に示すように、スリミング処理後の芯材パターン１３ａ，１３ｂの側面を含めた全面に側壁パターンの材料となる薄膜を堆積させ、この薄膜のうち芯材パターン１３ａ，１３ｂの上面、及びマスク材料１２の表面に堆積した薄膜を異方性エッチング等を用いてエッチング除去することにより、芯材パターン１３ａ，１３ｂの側面に側壁パターン１４ａ，１４ｂを形成する。側壁パターン１４ａ，１４ｂは、例えば、解像限界Ｗの約１／２の線幅と間隔を有する。
【００２３】
側壁パターン１４ａ，１４ｂは、芯材パターン１３ａ，１３ｂに対する選択比が高い材料により形成され、例えば、芯材パターン１３ａ，１３ｂがアモルファスシリコン膜から形成された場合、窒化シリコン膜等を材料に用いることができる。
【００２４】
次に、図１（ｄ）に示すように、芯材パターン１３ａ，１３ｂを、例えば、ＣＤＥ（Chemical Dry Etching)、ＲＩＥ(Reactive Ion Etching)等のドライエッチングによりエッチング除去して芯材パターン１３ａ，１３ｂに対して選択比が高い側壁パターン１４ａ，１４ｂを残存させる。このとき、側壁パターン１４ａ，１４ｂの両方の端部は、閉ループ形状となっている。
【００２５】
図２（ａ）において、側壁パターン１４ｂは、閉ループカットの対象である対象パターン（第２のパターン）を示し、側壁パターン１４ａは、側壁パターン１４ｂに隣接する隣接パターン（第１のパターン）を示す。本実施の形態の場合、側壁パターン１４ａ，１４ｂは、線幅が一定の線状部から構成されている。なお、隣接パターンは、閉ループカットの対象であってもよい。側壁パターン１４ｂを閉ループカットするためには、リソグラフィの位置合わせズレ等に対するマージンを考慮して、レジスト１５が側壁パターン１４ａにかからないように側壁パターン１４ｂの閉ループカットする領域を側壁パターン１４ａから離す必要がある。そのために、側壁パターン１４ｂの形状を以下のようにしている。
【００２６】
すなわち、側壁パターン１４ｂは、側壁パターン１４ａとの間に間隔ｄ（第１の間隔）を有して側壁パターン１４ａに近接し、かつ側壁パターン１４ａに平行な平行部１４０と、平行部１４０に接続し、側壁パターン１４ａに平行でない非平行部１４１とを有し、非平行部１４１に閉ループカットされるカット領域１４１ａを設けている。非平行部１４１は、平行部１４０と非平行部１４１との接合点から側壁パターン１４ａから遠ざかるように斜め方向に曲げているが、直角方向に曲げてもよい。
【００２７】
図２（ｂ）に示すように、側壁パターン１４ｂの端部のカット領域１４１ａ上に側壁パターン１４ａとの間にスペースＳ（第２の間隔）を設けてレジスト１５を形成し、図２（ｃ）に示すように、リソグラフィによって側壁パターン１４ｂのカット領域１４１ａをカットする。スペースＳは、側壁パターン１４ａと側壁パターン１４ｂとの間の間隔ｄ（第１の間隔）よりも大きく設定されている。
【００２８】
次に、図１（ｅ）に示すように、側壁パターン１４ａ，１４ｂをマスクとして用いてマスク材料１２をＣＦ４、ＣＨＦ３等のガスを用いたドライエッチング等によりエッチング除去してマスクパターン１２ａ，１２ｂを形成し、図１（ｆ）に示すように、側壁パターン１４ａ，１４ｂをウェットエッチング等により除去する。
【００２９】
次に、図１（ｇ）に示すように、マスクパターン１２ａ，１２ｂを用いて配線材料１１をエッチングして配線パターン１１ａ，１１ｂを形成し、図１（ｈ）に示すように、ウェットエッチング等によりマスクパターン１２ａ，１２ｂを除去する。
【００３０】
第１の実施の形態によれば、側壁パターンの配列ピッチがリソグラフィの解像限界Ｗよりも小さくても、側壁パターンの閉ループカットを行うことができる。
【００３１】
［第２の実施の形態］
図３（ａ）〜（ｈ）は、本発明の第２の実施の形態に係る半導体装置の製造工程を示す断面図、図４（ａ）〜（ｃ）は、図３（ｈ）の工程の後に行われる閉ループカット工程を示す平面図である。第１の実施の形態では、予め配線材料を形成しておき、側壁パターンの端部を閉ループカットした後に配線材料から配線パターンを形成したが、本実施の形態は、閉ループ形状の配線パターンを形成した後に配線パターンの端部を閉ループカットするものである。
【００３２】
図３（ａ）に示すように、シリコン基板等の半導体基板上に、下地層１０を介してマスク材料１２を形成し、レジストを用いたリソグラフィ及びエッチングによりマスク材料１２上に芯材パターン１３ａ，１３ｂを形成する。芯材パターン１３ａ，１３ｂは、例えば、リソグラフィの解像限界Ｗに近い線幅（例えば４０ｎｍ）を有する。
【００３３】
マスク材料１２として、例えば、酸化シリコン膜等を用いることができる。芯材パターン１３ａ，１３ｂとして、例えば、アモルファスシリコン膜等を用いることができる。
【００３４】
次に、図３（ｂ）に示すように、芯材パターン１３ａ，１３ｂの幅を異方性エッチング等により１／２に細くするスリミング処理を行う。これにより、解像限界Ｗの約１／２の線幅（例えば２０ｎｍ）の芯材パターン１３ａ，１３ｂが得られる。
【００３５】
次に、図３（ｃ）に示すように、スリミング処理後の芯材パターン１３ａ，１３ｂの側面を含めた全面に側壁パターンの材料となる薄膜を堆積させ、この薄膜のうち芯材パターン１３ａ，１３ｂの上面、及びマスク材料１２の表面に堆積した薄膜を異方性エッチング等を用いてエッチング除去することにより、芯材パターン１３ａ，１３ｂの側面に側壁パターン１４ａ，１４ｂを形成する。側壁パターン１４ａ，１４ｂは、例えば、解像限界Ｗの約１／２の線幅と間隔を有する。
【００３６】
次に、図３（ｄ）に示すように、芯材パターン１３ａ，１３ｂを、例えば、ＣＤＥ、ＲＩＥ等のドライエッチングによりエッチング除去して芯材パターン１３ａ，１３ｂに対して選択比が高い側壁パターン１４ａ，１４ｂを残存させる。側壁パターン１４ａ，１４ｂの両方の端部は、第１の実施の形態と同様に、閉ループ形状となっている。
【００３７】
次に、図３（ｅ）に示すように、側壁パターン１４ａ，１４ｂをマスクとして用いてマスク材料１２をＣＦ４、ＣＨＦ３等のガスを用いたドライエッチング等によりエッチング除去してマスクパターン１２ａ，１２ｂを形成し、図３（ｆ）に示すように、側壁パターン１４ａ，１４ｂをウェットエッチング等により除去する。
【００３８】
次に、図３（ｇ）に示すように、マスクパターン１２ａ，１２ｂ間の溝を含むマスクパターン１２ａ，１２ｂ表面全面に配線材料１１をスパッタリング、メッキ法等により形成した後、溝の外側の配線材料１１をＣＭＰ(Chemical Mechanical Polishing)により除去することにより、配線材料１１をマスクパターン１２ａ，１２ｂ間の溝に充填する。配線材料１１として、例えば、Ｃｕ、Ｗ、Ａｌ等を用いることができる。
【００３９】
次に、図３（ｈ）に示すように、マスクパターン１２ａ，１２ｂをエッチング除去して配線パターン１１ａ，１１ｂ、及び配線パターン１１ａ,１１ｂよりも幅の広い幅広パターン１１ｅを形成する。配線パターン１１ａ，１１ｂの両方の端部は、閉ループ形状となっている。
【００４０】
図４（ａ）において、配線パターン１１ｂは、閉ループカットの対象である対象パターン（第２のパターン）を示し、配線パターン１１ａは、対象パターンに隣接する隣接パターン（第１のパターン）を示す。本実施の形態の場合、配線パターン１１ａ，１１ｂは、線幅が一定の線状部から構成されている。なお、隣接パターンは、閉ループカットの対象であってもよい。配線パターン１１ｂを閉ループカットするためには、リソグラフィの位置合わせズレ等に対するマージンを考慮して、レジスト１５が配線パターン１１ａにかからないように配線パターン１１ｂの閉ループカットする領域を配線パターン１１ａから離す必要がある。そのために、配線パターン１１ｂの形状を以下のようにしている。
【００４１】
すなわち、配線パターン１１ｂは、配線パターン１１ａに平行な平行部１１０と、平行部１１０に接続し、配線パターン１１ａに平行でない非平行部１１１とを有し、非平行部１１１に閉ループカットされるカット領域１１１ａを設けている。非平行部１１１は、平行部１１０と非平行部１１１との接合点から配線パターン１１ａから遠ざかるように斜め方向に曲げているが、直角方向に曲げてもよい。
【００４２】
図４（ｂ）に示すように、配線パターン１１ｂの端部のカット領域１１１ａ上に配線パターン１１ａとの間にスペースＳ（第２の間隔）を設けてレジスト１５を形成し、図４（ｃ）に示すように、リソグラフィによって配線パターン１１ｂのカット領域１１１ａをカットする。スペースＳは、配線パターン１１ａと配線パターン１１ｂとの間の間隔ｄ（第１の間隔）よりも大きく設定されている。
【００４３】
第２の実施の形態によれば、配線パターンの配列ピッチがリソグラフィの解像限界Ｗよりも小さくても、配線パターンの閉ループカットを行うことができる。
【００４４】
図５は、本発明の第３の実施の形態に係る側壁パターンの一例を示し、（ａ）は平面図、（ｂ）は、（ａ）のＡ部詳細図である。第１の実施の形態では、第１のパターンとしての側壁パターン１４ａが直線状であり、第２のパターンとしての側壁パターン１４ｂが非直線状の折れ曲がった形状を有していたが、本実施の形態は、第１のパターンとしての側壁パターン１４ａが折れ曲がった形状を有し、第２のパターンとしての側壁パターン１４ｂが直線状であり、端部に閉ループカットされるカット領域１４１ａを設けている。第２のパターンとしての側壁パターン１４ｂは、側壁パターン１４ａとの間に間隔ｄ（第１の間隔）を有して側壁パターン１４ａに近接し、かつ側壁パターン１４ａに平行な平行部１４０と、平行部１４０に接続し、側壁パターン１４ａに平行でない非平行部１４１とを有し、非平行部１４１に閉ループカットされるカット領域１４１ａを設けている。
【００４５】
第３の実施の形態によれば、第１の実施の形態と同様に、側壁パターンの配列ピッチがリソグラフィの解像限界Ｗよりも小さくても、側壁パターンの閉ループカットを行うことができる。
【００４６】
次に、第１の実施の形態の半導体装置を相変化メモリに適用した実施例１〜５について説明する。実施例１〜５は、各配線パターン群２０Ａ，２０Ｂを構成する配線パターン１１ａ，１１ｂが、それぞれ線幅２０ｎｍの３６本からなる場合を示す。
【実施例１】
【００４７】
図６（ａ）は、本発明の実施例１に係る相変化メモリの配線層の配線パターンの概略の構成を示す平面図、（ｂ）は（ａ）のＢ部詳細図である。
【００４８】
この相変化メモリ１は、図６（ａ）に示すように、メモリセル領域２を有し、このメモリセル領域２の左右に、ワード線（ＷＬ）が引き出されるＷＬ引き出し領域３を設け、メモリセル領域２の上下に、ビット線（ＢＬ）が引き出されるＢＬ引き出し領域４を設け、メモリセル領域２の下層に周辺回路を配置している。
【００４９】
相変化メモリ１は、ｘ方向に伸びる配線パターン１１ａ，１１ｂからなる複数のビット線と、ｙ方向に伸びる配線パターン２１ａ，２１ｂからなる複数のワード線と、これらのビット線とワード線との各交差部に配置された複数のメモリセルとを有する。メモリセルは、カルコゲナイド等から形成された可変抵抗素子と、ショットキーダイオード等のダイオードとの直列回路から構成されている。この相変化メモリ１は、セル選択のための信号線を省略することができ、セルの高集積化が可能になる。
【００５０】
複数のワード線を形成した下部配線層と、下部配線層上に複数のメモリセルからなるメモリ層と、メモリ層上に複数のビット線を形成した上部配線層とからセルアレイを構成し、複数のセルアレイを積層状態でシリコン基板上に配置することにより、三次元メモリ構造を構成することができる。
【００５１】
上側配線層を構成するビット線は、図６（ａ）に示すように、全体的に右側にシフトした位置に形成された所定の本数の配線パターン（第１のパターン）１１ａからなる第１の配線パターン群２０Ａと、全体的に左側にシフトした位置に形成された所定の本数の配線パターン（第２のパターン）１１ｂからなる第２の配線パターン群２０Ｂとから構成されている。
【００５２】
下側配線層を構成するワード線は、図６（ａ）に示すように、全体的に上側にシフトした位置に形成された所定の本数の配線パターン（第１のパターン）２１ａからなる第１の配線パターン群２０Ｃと、全体的に下側にシフトした位置に形成された所定の本数の配線パターン（第２のパターン）２１ｂからなる第２の配線パターン群２０Ｄとから構成されている。
【００５３】
配線パターン１１ａ，１１ｂは、一方の端部に閉ループカットされた終端１１ｃを有し、他方の端部に芯材を残す処理を行った後に閉ループカットされて形成されたコンタクトフリンジ１１ｄを有する。終端１１ｃ及びコンタクトフリンジ１１ｄは、ＷＬ引き出し領域３に設けられている。配線パターン２１ａ，２１ｂは、一方の端部に閉ループカットされた終端２１ｃを有し、他方の端部に芯材を残す処理を行った後に閉ループカットされて形成されたコンタクトフリンジ２１ｄを有する。終端２１ｃ及びコンタクトフリンジ２１ｄは、ＢＬ引き出し領域４に設けられている。
【００５４】
上側配線層上の第２の配線パターン群２０Ｂを構成する配線パターン１１ｂは、図６（ｂ）に示すように、第１の配線パターン群２０Ａ寄りの複数本の配線パターン１１ｂが平行部１１０と、非平行部１１１とを有し、中央の複数本の配線パターン１１ｂは、非平行部１１１を有していない。このような構成は、第１の配線パターン群２０Ａも同様であり、下側配線層上の第１及び第２の配線パターン群２０Ｃ，２０Ｄも同様である。
【００５５】
図７（ａ）〜（ｆ）は、本発明の実施例１の製造工程の一例を示し、上側配線層の要部平面図である。図７（ａ）〜（ｄ）は、それぞれ図１（ａ）〜（ｄ）に対応し、図７（ｅ）は、図２（ｂ）に対応し、図７（ｆ）は、図１（ｈ）に対応する。
【００５６】
第１の実施の形態と同様に、下地層上に、配線材料及びマスク材料を形成した後、マスク材料上に、図７（ａ）に示すように、芯材パターン１３ａ，１３ｂを形成する。第２の配線パターン群２０Ｂのうち、第１の配線パターン群２０Ａ寄りの複数本の芯材パターン１３ｂは、先端側が第１の配線パターン群２０Ａから遠ざかるように斜め方向に曲げられている。
【００５７】
次に、図７（ｂ）に示すように、芯材パターン１３ａ，１３ｂのスリミング処理を行い、図７（ｃ）に示すように、スリミング処理後の芯材パターン１３ａ，１３ｂの側面に側壁パターン１４ａ，１４ｂを形成し、図７（ｄ）に示すように、芯材パターン１３ａ，１３ｂをエッチング除去して側壁パターン１４ａ，１４ｂを残存させる。
【００５８】
次に、図７（ｅ）に示すように、側壁パターン１４ｂの端部のカット領域上に第１の配線パターン群２０Ａとの間にスペースＳを設けて６角形のレジスト１５を形成し、リソグラフィによって側壁パターン１４ｂのカット領域をカットする。第１の配線パターン群２０Ａとレジスト１５との間のスペースＳは、リソグラフィの位置合せズレ等に対するマージンを考慮して、例えば、１４０ｎｍとする。
【００５９】
次に、側壁パターン１４ａ，１４ｂをマスクとして用いてマスク材料をエッチング除去してマスクパターンを形成し、側壁パターン１４ａ，１４ｂを除去する。次に、マスクパターンを用いて配線材料をエッチングして配線パターン１１ａ，１１ｂを形成し、マスクパターンを除去する。図７（ｆ）に示すように、線幅及び間隔が２０ｎｍの配線パターン１１ａ，１１ｂが得られる。
【００６０】
実施例１によれば、側壁パターンの配列ピッチがリソグラフィの解像限界Ｗよりも小さくても、側壁パターンの閉ループカットを行うことができる。また、第１及び第２の配線パターン群を左右と上下に交互にシフトさせることにより、引き出し領域３、４の面積を小さくすることができ、相変化メモリのセルの高集積化が可能になる。
【実施例２】
【００６１】
図８（ａ）〜（ｃ）は、本発明の実施例２の製造工程の一例を示し、上側配線層の要部平面図である。図８（ａ）は、図１（ｄ）に対応し、図８（ｂ）は、図２（ｂ）に対応し、図８（ｃ）は、図１（ｈ）に対応する。なお、図１（ａ）〜図１（ｃ）に対応する図は省略する。
【００６２】
実施例２の第２の配線パターン群２０Ｂを構成する側壁パターン１４ｂは、図８（ａ）に示すように、第１の配線パターン群２０Ａに最も近い側壁パターン１４ｂ同士が接続されて閉ループ形状となり、他の３４本の側壁パターン１４ｂは、隣同士で閉ループ形状となっている。
【００６３】
その後は、図８（ｂ）に示すように、側壁パターン１４ｂの端部のカット領域上に第１の配線パターン群２０Ａとの間にスペースＳを設けて６角形のレジスト１５を形成し、リソグラフィによって側壁パターン１４ｂのカット領域をカットし、図８（ｃ）に示すように、実施例１と同様の配線パターン１１ａ，１１ｂを形成する。
【実施例３】
【００６４】
図９（ａ）〜（ｃ）は、本発明の実施例３の製造工程の一例を示し、上側配線層の要部平面図である。図９（ａ）は、図１（ｄ）に対応し、図９（ｂ）は、図２（ｂ）に対応し、図９（ｃ）は、図１（ｈ）に対応する。なお、図１（ａ）〜図１（ｃ）に対応する図は省略する。
【００６５】
実施例３の第２の配線パターン群２０Ｂを構成する側壁パターン１４ｂは、図９（ａ）に示すように、第１の配線パターン群２０Ａに最も近い側壁パターン１４ｂ同士が他の側壁パターン１４ｂの端部位置に沿って接続された閉ループ形状となり、他の３４本の側壁パターン１４ｂは、隣同士で閉ループ形状となっている。
【００６６】
その後は、図９（ｂ）に示すように、側壁パターン１４ｂの端部のカット領域上に第１の配線パターン群２０Ａとの間にスペースＳを設けて６角形のレジスト１５を形成し、リソグラフィによって側壁パターン１４ｂのカット領域をカットし、図９（ｃ）に示すように、実施例１と同様の配線パターン１１ａ，１１ｂを形成する。
【実施例４】
【００６７】
図１０（ａ）〜（ｃ）は、本発明の実施例４の製造工程の一例を示し、上側配線層の要部平面図である。図１０（ａ）は、図１（ｄ）に対応し、図１０（ｂ）は、図２（ｂ）に対応し、図１０（ｃ）は、図１（ｈ）に対応する。なお、図１（ａ）〜図１（ｃ）に対応する図は省略する。
【００６８】
実施例４の第２の配線パターン群２０Ｂを構成する側壁パターン１４ｂは、図１０（ａ）に示すように、第１の配線パターン群２０Ａに近い側の２６本の側壁パターン１４ｂは、第１の配線パターン群２０Ａに最も近いものから順に互いに接続された閉ループ形状となっている。また、それらの内側の１０本の側壁パターン１４ｂは、隣同士で閉ループ形状となっている。
【００６９】
その後は、図１０（ｂ）に示すように、側壁パターン１４ｂの端部のカット領域上に第１の配線パターン群２０Ａとの間にスペースＳを設けて６角形のレジスト１５を形成し、リソグラフィによって側壁パターン１４ｂのカット領域をカットし、図１０（ｃ）に示すように、実施例１と同様の配線パターン１１ａ，１１ｂを形成する。
【実施例５】
【００７０】
図１１（ａ）〜（ｃ）は、本発明の実施例５の製造工程の一例を示し、上側配線層の要部平面図である。図１１（ａ）は、図１（ｄ）に対応し、図１１（ｂ）は、図２（ｂ）に対応し、図１１（ｃ）は、図１（ｈ）に対応する。なお、図１（ａ）〜図１（ｃ）に対応する図は省略する。
【００７１】
実施例５の第２の配線パターン群２０Ｂを構成する側壁パターン１４ｂは、図１１（ａ）に示すように、第１の配線パターン群２０Ａに最も近いものから順に互いに接続された閉ループ形状となっている。
【００７２】
その後は、図１１（ｂ）に示すように、側壁パターン１４ｂの端部のカット領域上に第１の配線パターン群２０Ａとの間にスペースＳを設けて６角形のレジスト１５を形成し、リソグラフィによって側壁パターン１４ｂのカット領域をカットし、図１０（ｃ）に示すように、配線パターン１１ａ，１１ｂを形成する。
【００７３】
上記の実施例１〜５によれば、ラインアンドスペースで構成された側壁パターンの配列ピッチがリソグラフィの解像限界Ｗよりも小さくても、側壁パターンの閉ループカットを行うことができる。
【００７４】
次に、第１の実施の形態をライン・アンド・スペースによる配線に適用した実施例６〜１０について説明する。実施例６〜１０は、配線パターン群２０Ａ，２０Ｂを構成する配線パターン１１ａ，１１ｂが、それぞれ線幅２０ｎｍの３６本からなる場合を示す。
【実施例６】
【００７５】
図１２（ａ）〜（ｃ）は、本発明の実施例６の製造工程の一例を示す要部平面図である。図１２（ａ）は、図１（ｄ）に対応し、図１２（ｂ）は、図２（ｂ）に対応し、図１２（ｃ）は、図１（ｈ）に対応する。なお、図１（ａ）〜図１（ｃ）に対応する図は省略する。また、本実施例は、左右に第２の配線パターン群２０Ｂが存在している場合を示す。
【００７６】
実施例６の第２の配線パターン群２０Ｂを構成する側壁パターン１４ｂは、図１２（ａ）に示すように、第１の配線パターン群２０Ａに最も近いものから順に互いに接続された閉ループ形状を構成し、これらが左右対称となっている。
【００７７】
その後は、図１２（ｂ）に示すように、側壁パターン１４ｂの端部のカット領域上に第１の配線パターン群２０Ａとの間にスペースＳを設けて８角形のレジスト１５を形成し、リソグラフィによって側壁パターン１４ｂのカット領域をカットし、図１２（ｃ）に示すように、配線パターン１１ａ，１１ｂを形成する。
【実施例７】
【００７８】
図１３（ａ）〜（ｃ）は、本発明の実施例７の製造工程の一例を示す要部平面図である。図１３（ａ）は、図１（ｄ）に対応し、図１３（ｂ）は、図２（ｂ）に対応し、図１３（ｃ）は、図１（ｈ）に対応する。なお、図１（ａ）〜図１（ｃ）に対応する図は省略する。また、本実施例は、左右に第２の配線パターン群２０Ｂが存在している場合を示す。
【００７９】
実施例７の第２の配線パターン群２０Ｂを構成する側壁パターン１４ｂは、図１３（ａ）に示すように、第１の配線パターン群２０Ａに近い側の１６本の側壁パターン１４ｂ同士が左右の端部（図示せず）で接続された閉ループ形状を構成している。また、それらの内側の１０本の側壁パターン１４ｂは、第１の配線パターン群２０Ａに最も近いものから順に互いに接続されて閉ループ形状を構成し、これらが左右対称となっている。さらに内側の１０本の側壁パターン１４ｂは、隣同士でループ形状を構成し、これらが左右対称となっている。
【００８０】
その後は、図１３（ｂ）に示すように、側壁パターン１４ｂの端部のカット領域上に第１の配線パターン群２０Ａとの間にスペースＳを設けて８角形のレジスト１５を形成し、リソグラフィによって側壁パターン１４ｂのカット領域をカットし、図１２（ｃ）に示すように、配線パターン１１ａ，１１ｂを形成する。
【実施例８】
【００８１】
図１４（ａ）〜（ｃ）は、本発明の実施例８の製造工程の一例を示す要部平面図である。図１４（ａ）は、図１（ｄ）に対応し、図１４（ｂ）は、図２（ｂ）に対応し、図１４（ｃ）は、図１（ｈ）に対応する。なお、図１（ａ）〜図１（ｃ）に対応する図は省略する。また、本実施例は、左右に第２の配線パターン群２０Ｂが存在している場合を示す。
【００８２】
実施例８の第２の配線パターン群２０Ｂを構成する側壁パターン１４ｂは、図１４（ａ）に示すように、第１の配線パターン群２０Ａに最も近い２本の側壁パターン１４ｂ同士が左右の端部（図示せず）で接続された１つのループ形状を構成し、内側のその他の側壁パターン１４ｂは、隣同士でループ形状を構成し、これらが左右対称となっている。
【００８３】
その後は、図１４（ｂ）に示すように、側壁パターン１４ｂの端部のカット領域上に第１の配線パターン群２０Ａとの間にスペースＳを設けて８角形のレジスト１５を形成し、リソグラフィによって側壁パターン１４ｂのカット領域をカットし、図１４（ｃ）に示すように、配線パターン１１ａ，１１ｂを形成する。
【実施例９】
【００８４】
図１５（ａ）〜（ｃ）は、本発明の実施例９の製造工程の一例を示す要部平面図である。図１５（ａ）は、図１（ｄ）に対応し、図１５（ｂ）は、図２（ｂ）に対応し、図１５（ｃ）は、図１（ｈ）に対応する。なお、図１（ａ）〜図１（ｃ）に対応する図は省略する。また、本実施例は、左右に第２の配線パターン群２０Ｂが存在している場合を示す。
【００８５】
実施例９の第２の配線パターン群２０Ｂを構成する側壁パターン１４ｂは、図１５（ａ）に示すように、図１４（ａ）に示す実施例８において、中央に６角形の側壁パターン１４ｂを追加したものであり、他は実施例８と同様である。
【００８６】
その後は、図１５（ｂ）に示すように、側壁パターン１４ｂの端部のカット領域上に第１の配線パターン群２０Ａとの間にスペースＳを設けて８角形のレジスト１５を形成し、リソグラフィによって側壁パターン１４ｂのカット領域をカットし、図１５（ｃ）に示すように、実施例８と同様の配線パターン１１ａ，１１ｂを形成する。
【実施例１０】
【００８７】
図１６（ａ）〜（ｃ）は、本発明の実施例１０の製造工程の一例を示す要部平面図である。図１６（ａ）は、図１（ｄ）に対応し、図１６（ｂ）は、図２（ｂ）に対応し、図１６（ｃ）は、図１（ｈ）に対応する。なお、図１（ａ）〜図１（ｃ）に対応する図は省略する。また、本実施例は、左右に第２の配線パターン群２０Ｂが存在している場合を示す。
【００８８】
実施例１０の第２の配線パターン群２０Ｂを構成する側壁パターン１４ｂは、図１６（ａ）に示すように、第１の配線パターン群２０Ａに最も近い２本の側壁パターン１４ｂ同士が左右の端部で接続された１つのループ形状を構成している。また、それらの内側の２４本の側壁パターン１４ｂ同士が外側同士から内側に向かってループ形状を構成し、これらが左右対称となっている。さらに内側の１０本の側壁パターン１４ｂは、隣同士でループ形状を構成し、これらが左右対称となっている。
【００８９】
その後は、図１６（ｂ）に示すように、側壁パターン１４ｂの端部のカット領域上に第１の配線パターン群２０Ａとの間にスペースＳを設けて８角形のレジスト１５を形成し、リソグラフィによって側壁パターン１４ｂのカット領域をカットし、図１６（ｃ）に示すように、実施例７と同一の配線パターン１１ａ，１１ｂを形成する。
【００９０】
次に、第２の実施の形態の半導体装置を相変化メモリに適用した実施例１１〜１４について説明する。実施例１１〜１４は、各配線パターン群２０Ａ，２０Ｂを構成する配線パターン１１ａ，１１ｂが、それぞれ線幅２０ｎｍの３３本からなる場合を示す。
【実施例１１】
【００９１】
図１７（ａ）〜（ｈ）は、本発明の実施例１１の製造工程の一例を示し、上側配線層の要部平面図である。図１７（ａ）〜（ｄ）は、それぞれ図３（ａ）〜（ｄ）に対応し、図１７（ｅ）は、図３（ｇ）に対応し、図１７（ｆ）は、図３（ｈ）に対応する。図１７（ｇ）は、図４（ｂ）に対応し、図１７（ｈ）は、図４（ｃ）に対応する。
【００９２】
第２の実施の形態と同様に、下地層上に、マスク材料を形成した後、マスク材料上に、図１７（ａ）に示すように、芯材パターン１３ａ，１３ｂを形成する。第２の配線パターン群２０Ｂを構成する芯材パターン１３ｂは、第１の配線パターン群２０Ａに最も近いものから順に互いに接続された閉ループ形状となっている。
【００９３】
次に、図１７（ｂ）に示すように、芯材パターン１３ａ，１３ｂのスリミング処理を行い、図１７（ｃ）に示すように、スリミング処理後の芯材パターン１３ａ，１３ｂの側面に側壁パターン１４ａ，１４ｂを形成し、図１７（ｄ）に示すように、芯材パターン１３ａ，１３ｂをエッチング除去して側壁パターン１４ａ，１４ｂを残存させる。
【００９４】
次に、図１７（ｅ）に示すように、側壁パターン１４ａ，１４ｂをマスクとして用いてマスク材料をエッチング除去してマスクパターンを形成し、側壁パターン１４ａ，１４ｂを除去する。
【００９５】
次に、図１７（ｅ）に示すように、マスクパターン１２ａ，１２ｂの周囲に配線材料１１を充填する。
【００９６】
次に、図１７（ｆ）に示すように、マスクパターン１２ａ，１２ｂを除去して配線パターン１１ａ，１１ｂを形成する。配線パターン１１ａ，１１ｂは、閉ループ形状になっている。第１の配線パターン群２０Ａ間に幅広パターン１１ｅが形成される。
【００９７】
次に、図１７（ｇ）に示すように、配線パターン１１ｂの端部のカット領域上に第１の配線パターン群２０Ａとの間にスペースＳを設けて６角形のレジスト１５を形成し、リソグラフィによって配線パターン１１ｂのカット領域をカットし、図１７（ｈ）に示すように、配線パターン１１ａ，１１ｂを形成する。
【実施例１２】
【００９８】
図１８（ａ）〜（ｃ）は、本発明の実施例１２の製造工程の一例を示す要部平面図である。図１８（ａ）は、図３（ｈ）に対応する。図１８（ｂ）は、図４（ｂ）に対応し、図１８（ｃ）は、図４（ｃ）に対応する。なお、図３（ａ）〜（ｇ）に対応する図は省略する。
【００９９】
実施例１２の第２の配線パターン群２０Ｂを構成する配線パターン１１ｂは、図１８（ａ）に示すように、１本置きに互いに接続されて閉ループ形状となっており、さらに第１の配線パターン群２０Ａの第２の配線パターン群２０Ｂに最も近い配線パターン１１ａも接続されて閉ループ形状を構成している。
【０１００】
その後は、図１８（ｂ）に示すように、配線パターン１１ｂの端部のカット領域上に第１の配線パターン群２０Ａとの間にスペースＳを設けてほ６角形のレジスト１５を形成し、リソグラフィによって配線パターン１１ｂのカット領域をカットし、図１８（ｃ）に示すように、配線パターン１１ａ，１１ｂを形成する。
【実施例１３】
【０１０１】
図１９（ａ）〜（ｃ）は、本発明の実施例１３の製造工程の一例を示す要部平面図である。図１９（ａ）は、図３（ｈ）に対応する。図１９（ｂ）は、図４（ｂ）に対応し、図１９（ｃ）は、図４（ｃ）に対応する。なお、図３（ａ）〜（ｇ）に対応する図は省略する。
【０１０２】
実施例１３の第２の配線パターン群２０Ｂを構成する配線パターン１１ｂは、図１９（ａ）に示すように、１本置きに互いに接続されて閉ループ形状となっており、さらに第１の配線パターン群２０Ａの第２の配線パターン群２０Ｂに最も近い配線パターン１１ａも接続されて閉ループ形状を構成している。
【０１０３】
その後は、図１９（ｂ）に示すように、配線パターン１１ｂの端部のカット領域上に第１の配線パターン群２０Ａとの間にスペースＳを設けて６角形のレジスト１５を形成し、リソグラフィによって配線パターン１１ｂのカット領域をカットし、図１９（ｃ）に示すように、実施例１２と同様の配線パターン１１ａ，１１ｂを形成する。
【実施例１４】
【０１０４】
図２０（ａ）〜（ｃ）は、本発明の実施例１４の製造工程の一例を示す要部平面図である。図２０（ａ）は、図３（ｈ）に対応する。図２０（ｂ）は、図４（ｂ）に対応し、図２０（ｃ）は、図４（ｃ）に対応する。なお、図３（ａ）〜（ｇ）に対応する図は省略する。
【０１０５】
実施例１４の第２の配線パターン群２０Ｂを構成する配線パターン１１ｂは、図２０（ａ）に示すように、第１の配線パターン群２０Ａに近い側の２４本の配線パターン１１ｂは、第１の配線パターン群２０Ａに最も近いものから順に互いに接続された閉ループ形状となっている。また、それらの内側の９本の配線パターン１１ｂは、最も内側の閉ループ形状の配線パターン１１ｂに交互に接続されている。また、第１の配線パターン群２０Ａの第２の配線パターン群２０Ｂに最も近い配線パターン１１ａ同士が接続されて閉ループ形状となっている。
【０１０６】
その後は、図２０（ｂ）に示すように、配線パターン１１ｂの端部のカット領域上に第１の配線パターン群２０Ａとの間にスペースＳを設けて６角形のレジスト１５を形成し、リソグラフィによって配線パターン１１ｂのカット領域をカットし、図２０（ｃ）に示すように、配線パターン１１ａ，１１ｂを形成する。
【０１０７】
次に、第２の実施の形態をライン・アンド・スペースによる配線に適用した実施例１５〜１９について説明する。実施例１５〜１９は、配線パターン群２０Ａ，２０Ｂを構成する配線パターン１１ａ，１１ｂが、それぞれ線幅２０ｎｍの３６本からなる場合について説明する。
【実施例１５】
【０１０８】
図２１（ａ）〜（ｃ）は、本発明の実施例１５の製造工程の一例を示す要部平面図である。図２１（ａ）は、図４（ａ）に対応し、図２１（ｂ）は、図４（ｂ）に対応し、図２１（ｃ）は、図４（ｃ）に対応する。なお、図３（ａ）〜（ｇ）に対応する図は省略する。また、本実施例は、左右に第２の配線パターン群２０Ｂが存在している場合を示す。
【０１０９】
実施例６の第２の配線パターン群２０Ｂを構成する配線パターン１１ｂは、図２１（ａ）に示すように、中央を除く３２本が第１の配線パターン群２０Ａに最も近いものから順に互いに接続された閉ループ形状を構成し、これらが左右対称となっている。
【０１１０】
その後は、図２１（ｂ）に示すように、配線パターン１１ｂの端部のカット領域上に第１の配線パターン群２０Ａとの間にスペースＳを設けて８角形のレジスト１５を形成し、リソグラフィによって配線パターン１１ｂのカット領域をカットし、図２１（ｃ）に示すように、配線パターン１１ａ，１１ｂを形成する。
【実施例１６】
【０１１１】
図２２（ａ）〜（ｃ）は、本発明の実施例１６の製造工程の一例を示す要部平面図である。図２２（ａ）は、図４（ａ）に対応し、図２２（ｂ）は、図４（ｂ）に対応し、図２２（ｃ）は、図４（ｃ）に対応する。なお、図３（ａ）〜（ｇ）に対応する図は省略する。また、本実施例は、左右に第２の配線パターン群２０Ｂが存在している場合を示す。
【０１１２】
実施例１６の第２の配線パターン群２０Ｂを構成する配線パターン１１ｂは、図２２（ａ）に示すように、中央に形成された幅広パターン１１ｅに交互に接続されてそれぞれ閉ループ形状を構成し、これらが左右対称となっている。また、第１の配線パターン群２０Ａの第２の配線パターン群２０Ｂに最も近い配線パターン１１ａは、閉ループカットされるカット領域の近傍に線幅が太い部分（三角形）が形成されている。
【０１１３】
その後は、図２２（ｂ）に示すように、配線パターン１１ｂの端部のカット領域上に第１の配線パターン群２０Ａとの間にスペースＳを設けてほぼ６角形のレジスト１５を形成し、リソグラフィによって配線パターン１１ｂのカット領域をカットし、図２２（ｃ）に示すように、配線パターン１１ａ，１１ｂを形成する。
【実施例１７】
【０１１４】
図２３（ａ）〜（ｃ）は、本発明の実施例１７の製造工程の一例を示す要部平面図である。図２３（ａ）は、図４（ａ）に対応し、図２３（ｂ）は、図４（ｂ）に対応し、図２３（ｃ）は、図４（ｃ）に対応する。なお、図３（ａ）〜（ｇ）に対応する図は省略する。また、本実施例は、左右に第２の配線パターン群２０Ｂが存在している場合を示す。
【０１１５】
実施例１７の第２の配線パターン群２０Ｂを構成する配線パターン１１ｂは、図２３（ａ）に示すように、中央の幅広パターン１１ｅの周囲に形成された環状のパターンに交互に接続されてそれぞれ閉ループ形状を構成し、これらが左右対称となっている。また、第１の配線パターン群２０Ａの第２の配線パターン群２０Ｂに最も近い配線パターン１１ａは、閉ループカットされるカット領域の近傍に線幅が太い部分（三角形）が形成されている。
【０１１６】
その後は、図２３（ｂ）に示すように、配線パターン１１ｂの端部のカット領域上に第１の配線パターン群２０Ａとの間にスペースＳを設けてほぼ６角形のレジスト１５を形成し、リソグラフィによって配線パターン１１ｂのカット領域をカットし、図２３（ｃ）に示すように、配線パターン１１ａ，１１ｂを形成する。
【実施例１８】
【０１１７】
図２４（ａ）〜（ｃ）は、本発明の実施例１８の製造工程の一例を示す要部平面図である。図２４（ａ）は、図４（ａ）に対応し、図２４（ｂ）は、図４（ｂ）に対応し、図２４（ｃ）は、図４（ｃ）に対応する。なお、図３（ａ）〜（ｇ）に対応する図は省略する。また、本実施例は、左右に第２の配線パターン群２０Ｂが存在している場合を示す。
【０１１８】
実施例１８の第２の配線パターン群２０Ｂを構成する配線パターン１１ｂは、図２４（ａ）に示すように、第１の配線パターン群２０Ａに近い側の２６本の側壁パターン１１ｂは、第１の配線パターン群２０Ａに最も近いものから順に互いに接続された閉ループ形状を構成して、これらが左右対称となっている。さらに内側の１０本の配線パターン１１ｂは、内側の閉ループ形状の配線パターン１１ｂに交互に接続し、これらが左右対称となっている。また、第１の配線パターン群２０Ａの第２の配線パターン群２０Ｂに最も近い配線パターン１１ａは、閉ループカットされるカット領域の近傍に線幅が太い部分（三角形）が形成されている。
【０１１９】
その後は、図２４（ｂ）に示すように、配線パターン１１ｂの端部のカット領域上に第１の配線パターン群２０Ａとの間にスペースＳを設けて８角形のレジスト１５を形成し、リソグラフィによって配線パターン１１ｂのカット領域をカットし、図２４（ｃ）に示すように、配線パターン１１ａ，１１ｂを形成する。
【実施例１９】
【０１２０】
図２５は、本発明の実施例１９の製造工程の一例を示す要部平面図である。図２５（ａ）は、図４（ａ）に対応し、図２５（ｂ）は、図４（ｂ）に対応し、図２５（ｃ）は、図４（ｃ）に対応する。なお、図３（ａ）〜（ｇ）に対応する図は省略する。また、本実施例は、左右に第２の配線パターン群２０Ｂが存在している場合を示す。
【０１２１】
実施例１９の第２の配線パターン群２０Ｂを構成する配線パターン１１ｂは、図２５（ａ）に示すように、第１の配線パターン群２０Ａに近い側の２２本の配線パターン１１ｂ同士が左右の端部で閉ループ形状となっている。また、それらの内側の４本は、第１の配線パターン群２０Ａに最も違いものから順に互いに接続された閉ループ形状を構成し、これらが左右対称となっている。さらに内側の９本は、内側の閉ループ形状に交互に接続されて左右対称となっている。また、第１の配線パターン群２０Ａの第２の配線パターン群２０Ｂに最も近い配線パターン１１ａは、閉ループカットされるカット領域の近傍に線幅が太い部分（三角形）が形成されている。
【０１２２】
その後は、図２５（ｂ）に示すように、配線パターン１１ｂの端部のカット領域上に第１の配線パターン群２０Ａとの間にスペースＳを設けて８角形のレジスト１５を形成し、リソグラフィによって配線パターン１１ｂのカット領域をカットし、図２５（ｃ）に示すように、配線パターン１１ａ，１１ｂを形成する。
【０１２３】
なお、本発明は、上記実施の形態、上記実施例に限定されず、その発明の要旨を逸脱しない範囲内で種々変形実施が可能である。
【図面の簡単な説明】
【０１２４】
【図１】図１（ａ）〜（ｈ）は、本発明の第１の実施の形態に係る半導体装置の製造工程を示す断面図である。
【図２】図２（ａ）〜（ｃ）は、図１（ｄ）に示す工程と図１（ｅ）に示す工程との間に行われる閉ループカット工程を示す平面図である。
【図３】図３（ａ）〜（ｈ）は、本発明の第１の実施の形態に係る半導体装置の製造工程を示す断面図である。
【図４】図４（ａ）〜（ｃ）は、図３（ｈ）の工程の後に行われる閉ループカット工程を示す平面図である。
【図５】図５は、本発明の第３の実施の形態に係る側壁パターンの一例を示し、（ａ）は平面図、（ｂ）は、（ａ）のＡ部詳細図である。
【図６】図６（ａ）は、本発明の実施例１に係る相変化メモリの配線層の配線パターンの概略の構成を示す平面図、（ｂ）は（ａ）のＢ部詳細図である。
【図７Ａ】図７Ａ（ａ）〜（ｃ）は、本発明の実施例１の製造工程の一例を示し、上側配線層の要部平面図である。
【図７Ｂ】図７Ｂ（ｄ）〜（ｆ）は、本発明の実施例１の製造工程の一例を示し、上側配線層の要部平面図である。
【図８】図８（ａ）〜（ｃ）は、本発明の実施例２の製造工程の一例を示し、上側配線層の要部平面図である。
【図９】図９（ａ）〜（ｃ）は、本発明の実施例３の製造工程の一例を示し、上側配線層の要部平面図である。
【図１０】図１０（ａ）〜（ｃ）は、本発明の実施例４の製造工程の一例を示し、上側配線層の要部平面図である。
【図１１】図１１（ａ）〜（ｃ）は、本発明の実施例５の製造工程の一例を示し、上側配線層の要部平面図である。
【図１２】図１２（ａ）〜（ｃ）は、本発明の実施例６の製造工程の一例を示す要部平面図である。
【図１３】図１３（ａ）〜（ｃ）は、本発明の実施例７の製造工程の一例を示す要部平面図である。
【図１４】図１４（ａ）〜（ｃ）は、本発明の実施例８の製造工程の一例を示す要部平面図である。
【図１５】図１５（ａ）〜（ｃ）は、本発明の実施例９の製造工程の一例を示す要部平面図である。
【図１６】図１６（ａ）〜（ｃ）は、本発明の実施例１０の製造工程の一例を示す要部平面図である。
【図１７Ａ】図１７（ａ）〜（ｃ）は、本発明の実施例１１の製造工程の一例を示し、上側配線層の要部平面図である。
【図１７Ｂ】図１７（ｄ）〜（ｆ）は、本発明の実施例１１の製造工程の一例を示し、上側配線層の要部平面図である。
【図１７Ｃ】図１７（ｇ）〜（ｈ）は、本発明の実施例１１の製造工程の一例を示し、上側配線層の要部平面図である。
【図１８】図１８（ａ）〜（ｃ）は、本発明の実施例１２の製造工程の一例を示す要部平面図である。
【図１９】図１９（ａ）〜（ｃ）は、本発明の実施例１３の製造工程の一例を示す要部平面図である。
【図２０】図２０（ａ）〜（ｃ）は、本発明の実施例１４の製造工程の一例を示す要部平面図である。
【図２１】図２１（ａ）〜（ｃ）は、本発明の実施例１５の製造工程の一例を示す要部平面図である。
【図２２】図２２（ａ）〜（ｃ）は、本発明の実施例１６の製造工程の一例を示す要部平面図である。
【図２３】図２３（ａ）〜（ｃ）は、本発明の実施例１７の製造工程の一例を示す要部平面図である。
【図２４】図２４（ａ）〜（ｃ）は、本発明の実施例１８の製造工程の一例を示す要部平面図である。
【図２５】図２５（ａ）〜（ｃ）は、本発明の実施例１９の製造工程の一例を示す要部平面図である。
【符号の説明】
【０１２５】
１…相変化メモリ、２…メモリセル領域、３…ＷＬ引き出し領域、４…ＢＬ引き出し領域、１０…下地層、１１…配線材料、１１ａ，１１ｂ…配線パターン、１１ｃ…終端、１１ｄ…コンタクトフリンジ、１１ｅ…幅広パターン、１２ａ，１２ｂ…マスクパターン、１２…マスク材料、１３ａ，１３ｂ…芯材パターン、１４ａ，１４ｂ…側壁パターン、１５…レジスト、２０Ａ，２０Ｃ…第１の配線パターン群、２０Ｂ，２０Ｄ…第２の配線パターン群、２１ａ，２１ｂ…配線パターン、２１ｃ…終端、２１ｄ…コンタクトフリンジ、１１０…平行部、１１１…非平行部、１１１ａ…カット領域、１４０…平行部、１４１…非平行部、１４１ａ…カット領域、Ｓ…スペース
【図１】
2010045302.tif 000003
【図２】
2010045302.tif 000004
【図３】
2010045302.tif 000005
【図４】
2010045302.tif 000006
【図５】
2010045302.tif 000007
【図６】
2010045302.tif 000008
【図７Ａ】
2010045302.tif 000009
【図７Ｂ】
2010045302.tif 000010
【図８】
2010045302.tif 000011
【図９】
2010045302.tif 000012
【図１０】
2010045302.tif 000013
【図１１】
2010045302.tif 000014
【図１２】
2010045302.tif 000015
【図１３】
2010045302.tif 000016
【図１４】
2010045302.tif 000017
【図１５】
2010045302.tif 000018
【図１６】
2010045302.tif 000019
【図１７Ａ】
2010045302.tif 000020
【図１７Ｂ】
2010045302.tif 000021
【図１７Ｃ】
2010045302.tif 000022
【図１８】
2010045302.tif 000023
【図１９】
2010045302.tif 000024
【図２０】
2010045302.tif 000025
【図２１】
2010045302.tif 000026
【図２２】
2010045302.tif 000027
【図２３】
2010045302.tif 000028
【図２４】
2010045302.tif 000029
【図２５】
2010045302.tif 000030